【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
セル内に存在する通信装置へ複数のチャネルのいずれかを割り当て、割り当てたチャネルを用いて前記通信装置へ信号を送信する通信制御装置におけるスケジューリング方法であって、
既知のファーストパイロット信号の受信品質を示す第一品質情報と、前記ファーストパイロット信号とは異なる信号区間に伝送された信号の受信品質を示す第二品質情報とに基づいて、前記複数のチャネルから選択したチャネルを前記通信装置へ割り当てることを特徴とするスケジューリング方法。
【請求項２】
前記通信装置が割り当てられたチャネルにおいて信号伝送に用いられるリソースブロックは、少なくとも前記ファーストパイロット信号を含むことを特徴とする請求項１記載のスケジューリング方法。
【請求項３】
前記第二品質情報は、前記ファーストパイロット信号とは異なる信号区間に伝送されたセカンドパイロット信号またはデータ信号の受信品質を示す値であることを特徴とする請求項１記載のスケジューリング方法。
【請求項４】
前記第一品質情報および前記第二品質情報を受信することを特徴とする請求項３記載のスケジューリング方法。
【請求項５】
前記第一品質情報と、前記第二品質情報との差が、予め設定した第一閾値以上となるチャネルを優先して選択し、選択したチャネルを通信装置へ割り当てることを特徴とする請求項１から請求項４のいずれかに記載のスケジューリング方法。
【請求項６】
前記第一品質情報および前記第二品質情報を受信するステップと、
前記第二品質情報から前記第一品質情報を差し引いて品質差分を算出するステップと、
前記算出した品質差分が前記第一閾値以上であるチャネルを優先して選択するステップと、
前記選択したチャネルを通信装置へ割り当てるステップと、を含むことを特徴とする請求項５記載のスケジューリング方法。
【請求項７】
前記チャネルを選択するステップは、さらに、前記選択したチャネルの中から、当該チャネルの第二品質情報が、他のチャネルの第一品質情報よりも良好であるチャネルを選択することを特徴とする請求項６記載のスケジューリング方法。
【請求項８】
前記チャネルを選択するステップは、前記複数のチャネルそれぞれの第一品質情報が予め設定された第二閾値より大きいチャネルがない場合に、前記品質差分が第一の閾値以上であるチャネルを優先して選択することを特徴とする請求項６記載のスケジューリング方法。
【請求項９】
前記第二品質情報から前記第一品質情報を差し引いた品質差分を前記通信装置から受信するステップと、
前記受信した品質差分が前記第一閾値以上であるチャネルを優先して選択するステップと、
前記選択したチャネルへ前記通信装置を割り当てるステップと、を含むことを特徴とする請求項５記載のスケジューリング方法。
【請求項１０】
前記第二品質情報から前記第一品質情報を差し引いた品質差分であって、前記第一閾値以上である品質差分を前記通信装置から受信するステップと、
前記通信装置から品質差分が通知されたチャネルを優先して選択するステップと、
前記選択したチャネルへ前記通信装置を割り当てるステップと、を含むことを特徴とする請求項５記載のスケジューリング方法。
【請求項１１】
前記第一品質情報と、前記第二品質情報との差が第一閾値以上のチャネルが存在しない場合に、前記第一品質情報が大きい順に空きチャネルを選択し、選択したチャネルを前記通信装置へ割り当てることを特徴とする請求項５記載のスケジューリング方法。
【請求項１２】
セル内に存在する通信装置へ複数のチャネルのいずれかを割り当て、前記通信装置へ信号を送信する通信制御装置であって、
前記通信装置から、既知のファーストパイロット信号の受信品質を示す第一品質情報および前記ファーストパイロット信号とは異なる信号区間に伝送された信号の受信品質を示す第二品質情報を含む品質通知情報を受信する受信機と、
前記受信した品質通知情報に基づいてチャネル割り当てを行い、チャネルを割り当てた結果を示すスケジューリング情報を生成するスケジューリング部と、
生成したスケジューリング情報を前記セル内に存在する通信装置へ通知する送信機と、を備えることを特徴とする通信制御装置。
【請求項１３】
前記通信装置に割り当てたチャネルにおいて信号伝送に用いられるリソースブロックは、少なくとも前記ファーストパイロット信号を含むことを特徴とする請求項１２記載の通信制御装置。
【請求項１４】
前記スケジューリング部は、前記第一品質情報と前記第二品質情報との差を算出し、前記第一品質情報と第二品質情報との差が予め設定した第一閾値以上となるチャネルを優先して前記通信装置へ割り当て、チャネルを割り当てた結果を示すスケジューリング情報を生成することを特徴とする請求項１３記載の通信制御装置。
【請求項１５】
少なくともファーストパイロット信号を送信する通信制御装置と通信を行う通信装置であって、
前記ファーストパイロット信号の受信品質および前記ファーストパイロット信号とは異なる信号区間に伝送された信号の受信品質を測定する測定部と、
前記測定部が測定した測定結果を示す品質通知情報を生成する品質通知情報生成部と、
前記生成した品質通知情報を前記通信制御装置へ送信する送信機と、を備えることを特徴とする通信装置。
【請求項１６】
前記通信制御装置から通知されたスケジューリング情報を受信する受信機を更に備え、
前記測定部は、前記スケジューリング情報で指示された区間について、前記ファーストパイロット信号の受信品質および前記ファーストパイロット信号とは異なる信号区間に伝送された信号の受信品質を測定することを特徴とする請求項１５記載の通信装置。
【請求項１７】
前記品質通知情報生成部は、前記ファーストパイロット信号の受信品質を示す第一品質情報と、前記ファーストパイロット信号とは異なる信号区間に伝送された信号の受信品質を示す第二品質情報との差が、予め設定した第一閾値以上である場合に、前記第二品質情報を示す情報を含む品質通知情報を生成することを特徴とする請求項１６記載の通信装置。
【請求項１８】
少なくともファーストパイロット信号を送信し、相手先の通信装置から前記相手先の通信装置における受信品質を示す情報を受信し、前記受信した受信品質を示す情報に基づいて前記相手先の通信装置のスケジューリングを行う通信制御装置と、
前記ファーストパイロット信号の受信品質および前記ファーストパイロット信号とは異なる信号区間に伝送された信号の受信品質を測定し、前記ファーストパイロット信号の受信品質を示す第一品質情報および前記ファーストパイロット信号とは異なる信号区間に伝送された信号の受信品質を示す第二品質情報を前記通信制御装置に通知する通信装置と、から構成されることを特徴とする無線通信システム。
【請求項１９】
前記第二品質情報は、前記ファーストパイロット信号とは異なる信号区間に伝送されたセカンドパイロット信号またはデータ信号のいずれかの受信品質を示す値であることを特徴とする請求項１８記載の無線通信システム。
【請求項２０】
前記第一品質情報と、前記第二品質情報との差に基づいて前記スケジューリングを行うことを特徴とする請求項１８記載の無線通信システム。
【手続補正２】
【補正対象書類名】明細書
【補正対象項目名】００８６
【補正方法】変更
【補正の内容】
【００８６】
スケジューリング部４９は、スケジューリングを行う（データ送信の要求がある）端末を幾つかリストアップし（Ｓ２１）、リストアップされた端末の中から、リソースが割り当てられていない端末を１つ選択する（Ｓ２２）。選択した端末から通知された各周波数チャネルのファーストＣＱＩ値が予め定めた第二閾値以下であるかを判断する（Ｓ４１）。この際、選択した端末が通知した各周波数チャネルのファーストＣＱＩ値のうち、全部が第二閾値より大きい場合、一部でも第二閾値より大きい場合のいずれかは、システムの状況等により取り決めてもよいし、予め決めておいてもよい。各周波数チャネルのファーストＣＱＩ値が第二閾値以下である、すなわち、隣接セルからの干渉が受信特性に影響するほど大きい（端末がセルエッジ付近に位置する）と推定できる場合（Ｓ４１でＹＥＳ）、ＣＱＩ差分値を算出する処理（Ｓ２３）へ進み、それ以降は図７と同様の処理を実施する。一方、各周波数チャネルのファーストＣＱＩ値が第二閾値より大きい、すなわち、隣接セルからの干渉が受信特性に影響するほど大きくない（端末が基地局周辺に位置する）と推定できる場合（Ｓ４１でＮＯ）、ファーストＣＱＩ値に基づいてチャネルを選択して割り当てる処理（Ｓ２９）へ進み、それ以降は図７と同様の処理を実施する。